(57)【要約】【課題】既設の配管と、改装後の洗面化粧台の配管とを、スムーズ且つコンパクトに接続することのできる洗面化粧台用配管を提供すること。【解決手段】洗面化粧台の改装時に用いられる洗面化粧台用配管１であって、新設の洗面化粧台２０における洗面器２１の排水口２１３に接続される排水トラップ２２ｂを有する上流側配管２２と、新設の洗面化粧台２０におけるキャビネット２４の底板２４４と床４との間の空間５内に配置される既設の下流側配管３とを接続し、前記空間５において横方向へ延び、少なくとも一部に可撓性を有する接続管１０を備える洗面化粧台用配管１である。【選択図】図１
2020036751.tif 000002
【特許請求の範囲】
【請求項１】
洗面化粧台の改装時に用いられる洗面化粧台用配管であって、
新設の洗面化粧台における洗面器の排水口に接続される排水トラップを有する上流側配管と、前記新設の洗面化粧台におけるキャビネットの底板と床との間の空間内に配置される既設の下流側配管とを接続し、前記空間において横方向へ延び、少なくとも一部に可撓性を有する接続管を備える、洗面化粧台用配管。
【請求項２】
前記接続管は、外側面が蛇腹形状の蛇腹部を有する、請求項１に記載の洗面化粧台用配管。
【請求項３】
前記接続管は、前記蛇腹部における内側面が平滑な円筒形状である、請求項２に記載の洗面化粧台用配管。
【請求項４】
前記接続管は、樹脂製である、請求項１から３いずれかに記載の洗面化粧台用配管。
【請求項５】
請求項１から４いずれかに記載の洗面化粧台用配管を用いた洗面化粧台の施工方法であって、
前記接続管の一方の端部を前記既設の下流側配管に接続することと、前記接続管の他方の端部を前記上流側配管に接続することとを、前記空間内に配置される既設の設置物と前記接続管との干渉を避けるために前記接続管を湾曲させつつ実施する、洗面化粧台の施工方法。
【発明の詳細な説明】
【技術分野】
【０００１】
本発明は、洗面化粧台用配管及びこれを用いた洗面化粧台の施工方法に関する。
【背景技術】
【０００２】
従来、洗面化粧台の床下には、配管や給水・給湯管が配置されていて、洗面器の下方から延びる排水管と、洗面化粧台の下部で接続されている（例えば、特許文献１参照）。洗面器の下方の排水管と配管や給水・給湯管との位置関係は、洗面化粧台を新設する場合は、予めスムーズに接続できるように設計されている場合が多い。
【先行技術文献】
【特許文献】
【０００３】
【特許文献１】特開２０１３−２３６８３８号公報
【発明の概要】
【発明が解決しようとする課題】
【０００４】
洗面化粧台を改装して既設の洗面化粧台と取り替える場合、配管や給水・給湯管の床下設備は、地中に埋設された水道管や下水管等と繋がっているため、既設の配置のままである。このため、新設の洗面化粧台を既設の配管や給水・給湯管とを接続するときに、洗面化粧台の下部で排水管と接続する直管を直線状に配置しにくい場合があった。そのため、既設の配管に複数の管を切断して互いに接続したり、排水管の下に配置されている排水トラップの向きを変えたりする必要が生じ、その結果、接続管が洗面化粧台の下部のスペースを大きくとってしまうことがあった。
【課題を解決するための手段】
【０００５】
（１）  本発明は、洗面化粧台の改装時に用いられる洗面化粧台用配管（例えば、後述の洗面化粧台用配管１）であって、新設の洗面化粧台（例えば、後述の改装洗面化粧台２０）における洗面器（例えば、後述の洗面器２１）の排水口（例えば、後述の排水口２１３）に接続される排水トラップ（例えば、後述の排水トラップ部２２ｂ）を有する上流側配管（例えば、後述の上流側配管２２）と、前記新設の洗面化粧台におけるキャビネット（例えば、後述のキャビネット２４）の底板（例えば、後述の底板２４４）と床（例えば、後述の床４）との間の空間（例えば、後述の下部空間５）内に配置される既設の下流側配管（例えば、後述の下流側配管３）とを接続し、前記空間において横方向へ延び、少なくとも一部に可撓性を有する接続管（例えば、後述の接続管１０）を備える、洗面化粧台用配管に関する。
【０００６】
（２）  前記接続管は、外側面が蛇腹形状の蛇腹部（例えば、後述の蛇腹部１２１）を有することが好ましい。
【０００７】
（３）  前記接続管は、前記蛇腹部における内側面が平滑な円筒形状であることが好ましい。
【０００８】
（４）  前記接続管は、樹脂製であることが好ましい。
【０００９】
（５）  （１）〜（４）に記載の前記洗面化粧台用配管を用いた洗面化粧台の施工方法であって、前記接続管の一方の端部を前記既設の下流側配管に接続することと、前記接続管の他方の端部を前記上流側配管に接続することとを、前記空間内に配置される既設の設置物と前記接続管との干渉を避けるために前記接続管を湾曲させつつ実施する、洗面化粧台の施工方法が好ましい。
【発明の効果】
【００１０】
本発明によれば、既設の配管と、改装後の洗面化粧台の配管とを、スムーズ且つコンパクトに接続することのできる洗面化粧台用配管を提供することができる。
【図面の簡単な説明】
【００１１】
【図１】本実施形態の洗面化粧台用配管を用いた改装洗面化粧台の正面図である。
【図２】本実施形態の下部空間の上面図である。
【図３】他の実施形態の接続管を接続した洗面化粧台用配管を示す図である。
【図４】さらに他の実施形態の接続管を接続した洗面化粧台用配管を示す図である。
【発明を実施するための形態】
【００１２】
以下、本発明の実施形態について、図面を参照しながら詳細に説明する。図１は、本実施形態の新設の洗面化粧台としての改装洗面化粧台２０の正面図である。
改装洗面化粧台２０は、建物の床４の上に既設の洗面化粧台が設置されていた場所に、既設の洗面化粧台と取り替えて、改装時に新たに取り付けられる洗面化粧台である。後述するように、改装洗面化粧台２０の設置には、既設の洗面化粧台の排水管に接続されていた下流側配管３と、改装洗面化粧台２０に配置される上流側配管２２とを接続する接続管１０を有する洗面化粧台用配管１が用いられる。
改装洗面化粧台２０は、洗面器２１と、上流側配管２２と、キャビネット２４と、を有する。
【００１３】
洗面器２１は、湯水を貯水可能なボウル部２１１と、ボウル部２１１の後方で上方に向かって立ち上がる後方壁部２１２と、ボウル部２１１の最も低い位置で開口する排水口２１３と、を有する。
【００１４】
上流側配管２２は、排水口２１３から連続して下方に延びる管である。上流側配管２２は、本体部２２ａと、排水トラップ部２２ｂとを有し、後述する接続管１０を介して既設の下流側配管３へ接続される。
本体部２２ａは、洗面器２１の排水口２１３に接続されて下方へ延びる管である。
排水トラップ部２２ｂは、一端が本体部２２ａの下端に接続され、本体部２２ａを介して排水口２１３に接続される。排水トラップ部２２ｂは、本体部２２ａの下端から下方に延出した後上方に向かって屈曲し、再び下方に向かって屈曲する。排水トラップ部２２ｂは、悪臭やガスが洗面器２１側へ流通することを防止する屈曲部である。
【００１５】
キャビネット２４は、洗面器２１の下方に配置される略直方体の収納棚である。キャビネット２４は、開閉可能な扉体で構成される前扉２４６（図２参照）と、前扉２４６に対向する背面部２４２と、前扉２４６の幅方向の一方及び他方に配置され、前扉２４６と背面部２４２とを繋ぐ一対の側面部２４３と、底板２４４と、を有する。前扉２４６、背面部２４２、一対の側面部２４３及び底板２４４で囲まれる空間が、改装洗面化粧台２０で使用する物品等を収納する収納空間となっている。
【００１６】
底板２４４は、キャビネット２４の下方に配置される底板である。底板２４４は、改装洗面化粧台２０が設置される床４から所定距離上方に離れた位置で、略水平方向に延びるように配置される。底板２４４は、着脱可能に形成される。
【００１７】
図２は、図１の底板２４４より下で見た下部空間５の上面図である。
下部空間５は、床４と、底板２４４との間に形成される配管等が配置される空間である。下部空間５の底面は床４であり、上面は底板２４４である。下部空間５には、下流側配管３と、給水・給湯管３１・３２とが配置されている。
下流側配管３は、下部空間５内に配置され、キャビネット２４の背面側の中央部近傍で、床４から上方に向かって突出している。
給水・給湯管３１・３２は、下流側配管３から幅方向に離れた位置で、上方に向かって突出している。給水・給湯管３１・３２には、それぞれ止水栓３３・３４が接続されている。止水栓３３・３４は、底板２４４から上方に突出し、底板２４４を貫通してキャビネット２４の下部空間５から収納空間に突き出ている。
【００１８】
図１に戻って、接続管１０は、上流側配管２２の排水トラップ部２２ｂの下端部と、下流側配管３とを接続する。接続管１０は、上部接続管１１と、下部接続管１２と、接続アダプタ１３と、エルボ管１４と、排水アダプタ１５と、を有している。
【００１９】
上部接続管１１は、一端が排水トラップ部２２ｂに接続され、他端が接続アダプタ１３に接続されている。上部接続管１１は、キャビネット２４の収納空間の側面部２４３側に沿って延びる樹脂製の管である。
【００２０】
接続アダプタ１３は、上部接続管１１と下部接続管１２を接続するエルボ管であり、底板２４４に設けられた貫通孔に配置されている。
【００２１】
下部接続管１２は、一端が接続アダプタ１３に接続され、他端が後述のエルボ管１４を介して下流側配管３に接続される。下部接続管１２は、自由に湾曲可能なフレキシブルな樹脂製（例えば、ポリ塩化ビニル）の管である。下部接続管１２は、下部空間５において横方向に延びるように設置される。下部接続管１２は、接続アダプタ１３に接続されている側が、下流側配管３に接続される側よりも上方に位置するように、排水勾配を設けて取り付けられる。
【００２２】
下部接続管１２は、蛇腹部１２１と、端部１２２とを有する。
蛇腹部１２１は、外側の表面に山状の凸部と谷状の凹部が繰り返し形成される蛇腹形状の部分であり、下部接続管１２の端部１２２を除く部分である。蛇腹部１２１のうち内側面が、平滑な円筒形状である。
端部１２２は、接続アダプタ１３や後述するエルボ管１４との接続が容易となるように、平滑な表面を有しており、外表面に凹凸は形成されていない。端部１２２は、円筒状の樹脂により構成されている。
【００２３】
エルボ管１４は、下流側配管３の延びる方向を上下方向に交差する方向に変えるために設けられ、下部接続管１２の下流側の端部に接続される。
【００２４】
排水アダプタ１５は、下流側配管３とエルボ管１４との間に配置される略円筒形の管である。排水アダプタ１５は、径の異なる二つの円筒状の部分を有し、下流側配管３の上端が太い径の円筒状の部分に、エルボ管１４の下端が細い径の円筒状の部分に取り付けられる。
【００２５】
次に、接続管１０の接続方法について説明する。
まず、下部空間５内で、既設の下流側配管３に排水アダプタ１５を接続し、エルボ管１４を介して下流側配管３と下部接続管１２の下流側の端部を接続する。このとき、下部接続管１２は、フレキシブルであるため、既設の設置物である給水・給湯管３１・３２を避けて湾曲させる。次に、下部接続管１２の上端部を接続アダプタ１３の下端部に接続する。
【００２６】
次に、接続アダプタ１３の上端を上部接続管１１に接続する。上部接続管１１は、その下端を接続アダプタ１３に、上端を排水トラップ部２２ｂに接続して、上流側配管２２に接続する。
【００２７】
本実施形態によれば、以下の効果が奏される。
本実施形態では、洗面化粧台の改装時に用いられる洗面化粧台用配管１を、改装洗面化粧台２０における洗面器２１の排水口２１３に接続される排水トラップ部２２ｂを有する上流側配管２２と、改装洗面化粧台２０におけるキャビネット２４の底板２４４と床４との間の下部空間５内に配置される既設の下流側配管３とを接続し、下部空間５において横方向へ延び少なくとも一部に可撓性を有する接続管１０を含んで構成した。
下部空間５に可撓性の接続管１０を配置したので、既設の下流側配管３と改装洗面化粧台２０の上流側配管２２との間に、既設の給水・給湯管３１・３２等の障害物があったり、下流側配管３の位置が上流側配管２２と直線的な管で接続される位置になかったりする場合でも、可撓性の接続管１０を現場に合わせて設置できる。また、排水トラップ部２２ｂの下端が接続しやすい位置に配置されていなくても、排水トラップ部２２ｂの向きを変えずに接続管１０を配置することができる。このため、既設の下流側配管３と、改装洗面化粧台２０の上流側配管２２とを、スムーズ且つコンパクトに接続することができる。
【００２８】
本実施形態では、接続管１０を、外側面が蛇腹形状の蛇腹部１２１を含んで構成した。
接続管１０における下部接続管１２の外表面に蛇腹状の凹凸が形成されていることにより、底板２４４の下方に給水・給湯管３１・３２等の既設の設置物があった場合でも、設置物を避けて容易に下部接続管１２を曲げることができるので、上記と同様の効果を奏する。
【００２９】
本実施形態では、接続管１０を、蛇腹部１２１における内側面が平滑な円筒形状に形成した。蛇腹部１２１の内側面が平滑な面であることで、接続管１０の内部にごみや水垢等がこびりつきにくく、詰まりにくくすることができる。同時に、外側面が蛇腹状であることで、剛性を保ちながら曲げることができる。
【００３０】
接続管１０を、樹脂により構成した。接続管１０が樹脂製であるため、容易に成型することができる。
【００３１】
洗面化粧台用配管１を用いた改装洗面化粧台２０の施工方法を、接続管１０の一方の端部を既設の下流側配管３に接続することと、接続管１０の他方の端部を上流側配管２２に接続することとを、下部空間５内に配置される既設の設置物と接続管１０との干渉を避けるために接続管１０を湾曲させつつ実施するように構成した。
洗面化粧台用配管１により、下部空間５内に給水・給湯管３１・３２等の既設の設置物があった場合でも、直線状の配管を接続して設置物を避けたり、排水トラップ部２２ｂの向きを変えたりせずに、柔軟な接続管１０により設置物を避けて下流側配管３と上流側配管２２とを接続することができる。このため、改装洗面化粧台２０の施工が容易になるとともに、接続管１０が下部空間５内のスペースを余分に取ることを防止できる。
【００３２】
以上、本発明の好ましい実施形態について説明したが、本発明は、上述の実施形態に制限されるものではなく、適宜変更が可能である。
図３及び４は、他の実施形態に係る洗面化粧台用配管１Ａ及び１Ｂを示す。図３及び図４に示す実施形態では、接続管１０Ａ、１０Ｂは、上部接続管１１及び下部接続管１２に分かれておらず、排水トラップ部２２ｂから下流側配管３まで一本の可撓性の管により構成されている。接続管１０Ａが蛇腹部１２１を有する点は、上記実施形態の下部接続管１２と同様である。また、底板２４４は、ゴムパッキン２４５ａを有する。ゴムパッキン２４５ａは、接続管１０が挿通可能な抜け防止穴２４５ｂを有する。
【００３３】
図３に示す他の実施形態では、接続管１０Ａが、抜け防止穴２４５ｂを貫通して底板２４４の下に延びる。接続管１０Ａは、抜け防止穴２４５ｂに配置されたゴムパッキン２４５ａの中心の孔を挿通する。排水トラップ部２２ｂから下流側配管３までが湾曲可能な接続管１０Ａで構成されていることで、上部接続管１１と下部接続管１２との接続工程を省いて、既設の下流側配管３に接続することができる。例えば、新設の洗面器２１の排水口２１３における中心の排水芯がある位置の下方に、既設の下流側配管３が位置していた場合、排水トラップ部２２ｂは湾曲しているので、排水芯の直下に配置された下流側配管３に接続することは難しい。しかし、接続管１０Ａが可撓性なので、排水芯と下流側配管３の位置が近接していた場合でも、容易に下流側配管３に接続することができる。
【００３４】
図４に示す他の実施形態では、下流側配管３の端部にエルボ管１４を接続し、エルボ管１４に接続管１０Ｂを接続することができる。図４の構成によっても、上記の実施形態と同様の効果を奏する。
【００３５】
また、上記の実施形態では、図示していないが、底板２４４の下に延びる下部接続管１２に、排水勾配を確保するために、途中に支持部材を適宜配置し、下部接続管１２の上流から下流側配管３までの排水勾配を形成してもよい。
【００３６】
また、上記の実施形態では、接続管１０として、内面が平滑な円筒形で、外表面に蛇腹状の溝が形成されたものを用いたが、可撓性であればこれに限られない。接続管は、内側及び外側の両方ともが平滑な表面を有する樹脂製のホースであってもよく、また、金属製の蛇腹状のホースであってもよい。
【符号の説明】
【００３７】
１，１Ａ，１Ｂ      洗面化粧台用配管
３      下流側配管
４      床
５      下部空間（空間）
１０、１０Ａ、１０Ｂ    接続管
１１    上部接続管
１２    下部接続管
１３    接続アダプタ
１４    エルボ管
１５    排水アダプタ
２０    改装洗面化粧台（新設の洗面化粧台）
２１    洗面器
２２    上流側配管
２２ａ  本体部
２２ｂ  排水トラップ部（排水トラップ）
２４    キャビネット
３１・３２  給水・給湯管（既設の設置物）
３３・３４  止水栓
１２１  蛇腹部
１２２  端部
２１１  ボウル部
２１２  後方壁部
２１３  排水口
２４２  背面部
２４３  側面部
２４４  底板
２４５ａ  ゴムパッキン
２４５ｂ  抜け防止穴
２４６  前扉
【図１】
2020036751.tif 000003
【図２】
2020036751.tif 000004
【図３】
2020036751.tif 000005
【図４】
2020036751.tif 000006